【事件の表示】
　特願２００９−５３０２８８「立体映像表示装置」拒絶査定不服審判事件〔平成２０年　４月１７日国際公開、ＷＯ２００８／０４４８５８、平成２２年　２月１８日国内公表、特表２０１０−５０５１４４〕について、次のとおり審決する。
【結　論】
　本件審判の請求は、成り立たない。
【理　由】
１　手続の経緯・本願発明
　本願は、平成１９年１０月１０日（パリ条約による優先権主張２００６年１０月１１日、米国。同優先権主張２００６年１２月１８日、韓国）を国際出願日とする出願であって、平成２３年８月１０日付けで手続補正がなされたところ、平成２４年９月１３日付けで拒絶査定がなされ、これに対し、平成２５年１月１５日に拒絶査定不服審判請求がなされると同時に手続補正がなされたものである。
　
　そして、本願の請求項に係る発明は、平成２５年１月１５日付け手続補正後の明細書、特許請求の範囲及び図面の記載からみて、その特許請求の範囲の請求項１〜３に記載された事項によって特定されるものと認められるところ、その請求項１に係る発明は次のものである。
　
「光源と、
　前記光源からの入射光の透過率を調節して映像を形成するディスプレイパネルと、
　映像信号によって前記ディスプレイパネルの変調を制御し、前記ディスプレイパネルをスキャニングするディスプレイパネル・コントローラと、
　電気的制御によって透光率を調節し、前記ディスプレイパネルから入射された映像ビームを視域分離するためのものであり、奇数カラムセルと偶数カラムセルとが横方向に交互に配列され、前記奇数カラムセルと偶数カラムセルとがそれぞれ光を透過させるスリットと、光を遮断するマスクとの間で交互にスイッチングされるスイッチングバリアと、
　前記ディスプレイパネルのスキャニングに同期され、前記スリットとマスクとのバリアモードが変換されるように制御するスイッチングバリア・コントローラとを備える、立体映像ディスプレイ装置であって、
　前記ディスプレイパネルがその縦方向にスキャニングされると共に、
　前記スイッチングバリアが前記奇数カラムセルに連結された第１電極と、前記偶数カラムセルに連結された第２電極と、前記スイッチングバリアの縦方向に区画された複数の領域ｎから前記スイッチングバリア・コントローラにそれぞれ連結され、それぞれ独立して電圧が印加される共通電極とを備えると共に、
　前記複数の領域ｎは、ディスプレイパネルの縦方向解像度の半分と同じであるか、あるいはそれよりも小さいことを特徴とする、立体映像ディスプレイ装置。」（以下「本願発明」という。）
　
　
２　引用刊行物の記載事項
　原査定の拒絶の理由に引用された、本願の優先日前に頒布された刊行物である特開平９−１３８３７０号公報（以下「引用刊行物」という。）には、図とともに下記の事項が記載されている。
　
（１）「【０００１】
【発明の属する分野】この発明は、平面ディスプレイの前面または背面にパララックスバリアが配置されており、特殊な眼鏡を使用せずに立体画像を表示できるパララックス方式の立体画像表示装置の制御方法に関する。」
　
（２）「【０００９】この発明は、パララックスバリアを形成しない平面画像表示時に近い水平解像度が得られる立体画像表示装置の制御方法を提供することを目的とする。」
　
（３）「【００１３】平面ディスプレイとして、液晶ディスプレイのように、画像表示時に平面ディスプレイの画面全体が非発光状態になることがないデイスプレイが用いられている場合には、平面ディスプレイの１または複数の水平ラインが走査される毎に、パララックスバリアの遮光部の水平方向位置が切り換えられる。
【００１４】平面ディスプレイとして、液晶ディスプレイが用いられているときには、パララックスバリアとしては、たとえば、水平方向に間隔をおいて形成された複数の縦長の第１透明電極と、垂直方向に間隔をおいて形成された複数の横長の第２透明電極とを有する液晶パネルから構成されたものが用いられる。そして、第２透明電極、奇数列の第１電極および偶数列の第１電極への電圧の印加が制御されることにより、パララックスバリアの遮光部の水平方向位置が、平面ディスプレイの１または複数の水平ライン毎に切り換えられる。」
　
（４）「【００１５】
【発明の実施の形態】以下、図１〜図１０を参照して、この発明の実施の形態について説明する。
【００１６】図１は、パララックス方式の立体画像表示装置を示している。
【００１７】立体画像表示装置は、図示しない表示制御回路と、ＡＣ型プラズマディスプレイまたはＤＣ型プラズマディスプレイからなる平面ディスプレイ１１と、その前側に配置されたパララックスバリア１２とを備えている。
…
【００２８】上記実施の形態では、平面ディスプレイとして、プラズマディスプレイを用いた場合について説明したが、平面ディスプレイとして、液晶ディスプレイ１１Ａ（図１０参照）を用いた場合の実施の形態について説明する。
【００２９】液晶ディスプレイでは、画像表示時において、画面全体が非発光状態になるときがない。したがって、パララックスバリアの遮光部と透光部の切り換えを、垂直走査に合わせて行なう。また、左目用画像と右目用画像の表示位置の切り換えも、垂直走査に合わせて行なう。
【００３０】パララックスバリアの遮光部と透光部の切り換えを、垂直走査に合わせて行なうために、パララックスバリア１２Ａとしては、図８および図９に示すものが用いられる。
【００３１】パララックスバリア１２Ａは、互いに平行に配された２枚の透明ガラス３１、３２と、一方の透明ガラス３１の内面に水平方向に等間隔をおいて形成された複数本の縦長の第１透明電極３３と、他方の透明ガラス３２の内面に垂直方向に間隔をおいて形成された複数本の横長の第２透明電極３４と、透明ガラス３１、３２間に封入された液晶３５と、光出射側に配置された偏光板３６とからなる。
【００３２】そして、液晶ディスプレイ１１Ａの各水平ライン毎に、走査が開始されるときに、当該水平ラインに対応する第２透明電極３４に電圧を印加するとともに、第１透明電極３３の奇数列群と偶数列群のうち、前回において当該水平ラインで電圧が印加された列群と反対の方の列群に電圧を印加する。また、液晶ディスプレイ１１Ａの当該水平ラインに表示される左目用画像と右目用画像との表示位置を、前回において当該水平ラインで表示された位置と、逆となるように切り換える。
【００３３】図１０（ａ）は、１ライン目が走査される場合の、遮光部の位置（斜線で示す）と、左目用画像（Ｌ）と右目用画像（Ｒ）の位置とを示し、図１０（ｂ）は、２ライン目が走査される場合の、遮光部の位置（斜線で示す）と、左目用画像（Ｌ）と右目用画像（Ｒ）の位置とを示し、図１０（ｃ）は、３ライン目が走査される場合の、遮光部の位置（斜線で示す）と、左目用画像（Ｌ）と右目用画像（Ｒ）の位置とを示している。」
　
（５）上記（４）の【００１６】、【００１７】及び【００２８】以下の記載から、引用刊行物には、「表示制御回路」と、「平面ディスプレイ１１」と、「（当該平面ディスプレイ１１の前側に配置された）パララックスバリア１２」とを備えている「立体画像表示装置」が記載されているといえる。
　
（６）上記（４）（【００３１】）に照らして図８をみると、「複数本の縦長の第１透明電極３３」は、奇数番目の電極同士が、「パララックスバリア１２Ａ」の上側で配線により電気的に接続され、偶数番目の電極同士が、「パララックスバリア１２Ａ」の下側で別途の配線により電気的に接続されていること、がみてとれる。
　
（７）上記（４）（【００３２】及び【００３３】）に照らして図１０（ａ）〜（ｃ）をみると、
　ア　１ライン目が走査される場合、
　（ア）奇数列群及び偶数列群の遮光部の位置が、当該１ライン目において、その下のラインとは反対となり、
　（イ）液晶ディスプレイ１１Ａの１ライン目に表示される左目用画像と右目用画像との表示位置を、前回において当該１ライン目で表示された位置と、逆となるように切り換え、
　イ　２ライン目が走査される場合、
　（ア）奇数列群及び偶数列群の遮光部の位置が、１ライン目及び２ライン目において、その下のラインとは反対となり、
　（イ）液晶ディスプレイ１１Ａの２ライン目に表示される左目用画像と右目用画像との表示位置を、前回において当該２ライン目で表示された位置と、逆となるように切り換え、
　ウ　３ライン目が走査される場合、
　（ア）奇数列群及び偶数列群の遮光部の位置が、１ライン目〜３ライン目において、その下のラインとは反対となり、
　（イ）液晶ディスプレイ１１Ａの３ライン目に表示される左目用画像と右目用画像との表示位置を、前回において当該３ライン目で表示された位置と、逆となるように切り換えること、
がみてとれる。
　
　よって、上記の記載を総合すると、引用刊行物には、次の発明（以下「引用発明」という。）が記載されていると認められる。
　
「表示制御回路と、平面ディスプレイ１１と、当該平面ディスプレイ１１の前側に配置されたパララックスバリア１２とを備えている立体画像表示装置であって、
　平面ディスプレイとして、液晶ディスプレイ１１Ａを用いた場合、画像表示時において、画面全体が非発光状態になるときがないため、パララックスバリアの遮光部と透光部の切り換えを、垂直走査に合わせて行い、また、左目用画像と右目用画像の表示位置の切り換えも、垂直走査に合わせて行ない、
　パララックスバリアの遮光部と透光部の切り換えを、垂直走査に合わせて行なうために、パララックスバリア１２Ａは、互いに平行に配された２枚の透明ガラス３１、３２と、一方の透明ガラス３１の内面に水平方向に等間隔をおいて形成された複数本の縦長の第１透明電極３３と、他方の透明ガラス３２の内面に垂直方向に間隔をおいて形成された複数本の横長の第２透明電極３４と、透明ガラス３１、３２間に封入された液晶３５と、光出射側に配置された偏光板３６とからなり、前記複数本の縦長の第１透明電極３３は、奇数番目の電極同士が、パララックスバリア１２Ａの上側で配線により電気的に接続され、偶数番目の電極同士が、パララックスバリア１２Ａの下側で別途の配線により電気的に接続されており、
　液晶ディスプレイ１１Ａの各水平ライン毎に、走査が開始されるときに、当該水平ラインに対応する第２透明電極３４に電圧を印加するとともに、第１透明電極３３の奇数列群と偶数列群のうち、前回において当該水平ラインで電圧が印加された列群と反対の方の列群に電圧を印加し、また、液晶ディスプレイ１１Ａの当該水平ラインに表示される左目用画像と右目用画像との表示位置を、前回において当該水平ラインで表示された位置と、逆となるように切り換え、
　１ライン目が走査される場合、奇数列群及び偶数列群の遮光部の位置が、当該１ライン目において、その下のラインとは反対となり、液晶ディスプレイ１１Ａの１ライン目に表示される左目用画像と右目用画像との表示位置を、前回において当該１ライン目で表示された位置と、逆となるように切り換え、
　２ライン目が走査される場合、奇数列群及び偶数列群の遮光部の位置が、１ライン目及び２ライン目において、その下のラインとは反対となり、液晶ディスプレイ１１Ａの２ライン目に表示される左目用画像と右目用画像との表示位置を、前回において当該２ライン目で表示された位置と、逆となるように切り換え、
　３ライン目が走査される場合、奇数列群及び偶数列群の遮光部の位置が、１ライン目〜３ライン目において、その下のラインとは反対となり、液晶ディスプレイ１１Ａの３ライン目に表示される左目用画像と右目用画像との表示位置を、前回において当該３ライン目で表示された位置と、逆となるように切り換える、立体画像表示装置。」
　
　
３　対比
　本願発明と引用発明を対比する。
　
（１）引用発明の「立体画像表示装置」は、「表示制御回路と、平面ディスプレイ１１（液晶ディスプレイ１１Ａ）と、当該平面ディスプレイ１１（液晶ディスプレイ１１Ａ）の前側に配置されたパララックスバリア１２とを備え」るものであって、当該「立体画像表示装置」が、前記「液晶ディスプレイ１１Ａ」に光を入射させる「光源」を備えることは明らかであり、また、前記「液晶ディスプレイ１１Ａ」は、前記「光源」からの入射光の透過率を調節して映像を形成するものであるということができるから、
　ア　引用発明の「液晶ディスプレイ１１Ａ」は、本願発明の「（前記光源からの入射光の透過率を調節して映像を形成する）ディスプレイパネル」に相当し、
　イ　引用発明の「立体画像表示装置」は、「光源」と、「（前記光源からの入射光の透過率を調節して映像を形成する）ディスプレイパネル」を備えるといえる。
　
（２）引用発明の「表示制御回路」は、「液晶ディスプレイ１１Ａの各水平ライン毎に、走査」を「開始」させるものであり、映像信号によって前記「液晶ディスプレイ１１Ａ」の変調を制御し、前記「液晶ディスプレイ１１Ａ」をスキャニングするといえるから、
　ア　引用発明の「表示制御回路」は、本願発明の「（映像信号によって前記ディスプレイパネルの変調を制御し、前記ディスプレイパネルをスキャニングする）ディスプレイパネル・コントローラ」に相当し、
　イ　引用発明は、本願発明の「（映像信号によって前記ディスプレイパネルの変調を制御し、前記ディスプレイパネルをスキャニングする）ディスプレイパネル・コントローラ」を備えるといえる。
　
（３）引用発明の「パララックスバリア１２（１２Ａ）」は、「遮光部と透光部の切り換えを、（液晶ディスプレイ１１Ａの）垂直走査に合わせて行い」、「互いに平行に配された２枚の透明ガラス３１、３２と、一方の透明ガラス３１の内面に水平方向に等間隔をおいて形成された複数本の縦長の第１透明電極３３と、他方の透明ガラス３２の内面に垂直方向に間隔をおいて形成された複数本の横長の第２透明電極３４と、透明ガラス３１、３２間に封入された液晶３５と、光出射側に配置された偏光板３６とからなり、前記複数本の縦長の第１透明電極３３は、奇数番目の電極同士が、パララックスバリア１２Ａの上側で配線により電気的に接続され、偶数番目の電極同士が、パララックスバリア１２Ａの下側で別途の配線により電気的に接続されて」なるものであり、「液晶ディスプレイ１２Ａ」から入射された映像ビームを視域分離するためのものであるということができるから、
　ア　引用発明の「パララックスバリア１２（１２Ａ）」は、本願発明の「（電気的制御によって透光率を調節し、前記ディスプレイパネルから入射された映像ビームを視域分離するためのものであり、奇数カラムセルと偶数カラムセルとが横方向に交互に配列され、前記奇数カラムセルと偶数カラムセルとがそれぞれ光を透過させるスリットと、光を遮断するマスクとの間で交互にスイッチングされる）スイッチングバリア」に相当し、
　イ　引用発明は、本願発明の「（電気的制御によって透光率を調節し、前記ディスプレイパネルから入射された映像ビームを視域分離するためのものであり、奇数カラムセルと偶数カラムセルとが横方向に交互に配列され、前記奇数カラムセルと偶数カラムセルとがそれぞれ光を透過させるスリットと、光を遮断するマスクとの間で交互にスイッチングされる）スイッチングバリア」を備えるといえる。
　
（４）引用発明は、「パララックスバリアの遮光部と透光部の切り換えを、（液晶ディスプレイ１１Ａの）垂直走査に合わせて行い、また、左目用画像と右目用画像の表示位置の切り換えも、（液晶ディスプレイ１１Ａの）垂直走査に合わせて行な」うものであるから、本願発明の「（前記ディスプレイパネルのスキャニングに同期され、前記スリットとマスクとのバリアモードが変換されるように制御する）スイッチングバリア・コントローラ」を備えるということができる。
　
（５）引用発明の「液晶ディスプレイ１１Ａ」は、「各水平ライン毎に、走査が開始され」るものであるから、引用発明は、本願発明の「前記ディスプレイパネルがその縦方向にスキャニングされ」との事項を備える。
　
（６）引用発明は、「液晶ディスプレイ１１Ａの各水平ライン毎に、走査が開始されるときに、当該水平ラインに対応する第２透明電極３４に電圧を印加するとともに、第１透明電極３３の奇数列群と偶数列群のうち、前回において当該水平ラインで電圧が印加された列群と反対の方の列群に電圧を印加し、…１ライン目が走査される場合、奇数列群及び偶数列群の遮光部の位置が、当該１ライン目において、その下のラインとは反対となり、…２ライン目が走査される場合、奇数列群及び偶数列群の遮光部の位置が、１ライン目及び２ライン目において、その下のラインとは反対となり、…３ライン目が走査される場合、奇数列群及び偶数列群の遮光部の位置が、１ライン目〜３ライン目において、その下のラインとは反対とな」るものであって、引用発明の「（複数本の縦長の第１透明電極３３の奇数番目の電極同士をパララックスバリア１２Ａの上側で電気的に接続する）配線」、「（複数本の縦長の第１透明電極３３の偶数番目の電極同士をパララックスバリア１２Ａの下側で電気的に接続する別途の）配線」及び「複数本の横長の第２透明電極３４」は、それぞれ、上記（４）の「スイッチングバリア・コントローラ」に連結されるとともに、前記「複数本の横長の第２透明電極３４」は、それぞれ独立して電圧が印加されるということができるから、
　ア　引用発明の「（複数本の縦長の第１透明電極３３の奇数番目の電極同士をパララックスバリア１２Ａの上側で電気的に接続する）配線」、「（複数本の縦長の第１透明電極３３の偶数番目の電極同士をパララックスバリア１２Ａの下側で電気的に接続する別途の）配線」及び「（垂直方向に間隔をおいて形成された）複数本の横長の第２透明電極３４」は、それぞれ、本願発明の「奇数カラムセルに連結された第１電極」、「偶数カラムセルに連結された第２電極」及び「（スイッチングバリアの縦方向に区画された複数の領域ｎから前記スイッチングバリア・コントローラにそれぞれ連結され、それぞれ独立して電圧が印加される）共通電極」に相当し、
　イ　引用発明は、本願発明の「前記スイッチングバリアが前記奇数カラムセルに連結された第１電極と、前記偶数カラムセルに連結された第２電極と、前記スイッチングバリアの縦方向に区画された複数の領域ｎから前記スイッチングバリア・コントローラにそれぞれ連結され、それぞれ独立して電圧が印加される共通電極とを備え」との事項を備える。
　
（７）引用発明の「立体画像表示装置」は、本願発明の「立体映像ディスプレイ装置」に相当する。
　
　よって、本願発明と引用発明とは、
「光源と、
　前記光源からの入射光の透過率を調節して映像を形成するディスプレイパネルと、
　映像信号によって前記ディスプレイパネルの変調を制御し、前記ディスプレイパネルをスキャニングするディスプレイパネル・コントローラと、
　電気的制御によって透光率を調節し、前記ディスプレイパネルから入射された映像ビームを視域分離するためのものであり、奇数カラムセルと偶数カラムセルとが横方向に交互に配列され、前記奇数カラムセルと偶数カラムセルとがそれぞれ光を透過させるスリットと、光を遮断するマスクとの間で交互にスイッチングされるスイッチングバリアと、
　前記ディスプレイパネルのスキャニングに同期され、前記スリットとマスクとのバリアモードが変換されるように制御するスイッチングバリア・コントローラとを備える、立体映像ディスプレイ装置であって、
　前記ディスプレイパネルがその縦方向にスキャニングされると共に、
　前記スイッチングバリアが前記奇数カラムセルに連結された第１電極と、前記偶数カラムセルに連結された第２電極と、前記スイッチングバリアの縦方向に区画された複数の領域ｎから前記スイッチングバリア・コントローラにそれぞれ連結され、それぞれ独立して電圧が印加される共通電極とを備える、立体映像ディスプレイ装置。」
の点で一致し、以下の点で相違するものと認められる。  
 　  
　複数の領域ｎが、本願発明では、ディスプレイパネルの縦方向解像度の半分と同じであるか、あるいはそれよりも小さいのに対し、引用発明では、そのようなものであるのか否か明らかでない点（以下「相違点」という。）
　
　
４　判断
　上記相違点につき検討する。
　引用発明において、「（パララックスバリア１２Ａに形成された）複数本の横長の第２透明電極３４」のそれぞれの（縦方向の）幅をどの程度とするかは、当業者が当該引用発明を実施する上に設計上適宜に定めるべき事項であるところ、引用発明において、前記「複数本の横長の第２透明電極３４」のそれぞれの（縦方向の）幅を「液晶ディスプレイ１１Ａ」の縦方向解像度の半分と同じであるか、あるいはそれよりも小さいものとなすことが当業者において格別困難なことであるとはいえない。また、本願の明細書をみても、本願発明において、複数の領域ｎを、ディスプレイパネルの縦方向解像度の半分と同じであるか、あるいはそれよりも小さくした点に設計的事項の域を超えるほどの格別の技術的意義があるものとは認められず、本願発明の奏する効果が、引用発明から当業者が予測困難な程の格別顕著なものということはできない。
　よって、引用発明において、上記相違点に係る本願発明の構成となすことは、当業者が適宜になし得ることである。
　
　
５　むすび
　以上のとおり、本願発明は、引用刊行物に記載された発明に基いて当業者が容易に発明をすることができたものであるから、特許法第２９条第２項の規定により特許を受けることができない。
　
　よって、結論のとおり審決する。